(57)【要約】      （修正有）【課題】画像表示のための操作頻度を低減しつつ、視認しやすい態様で複数の画像を表示できる情報表示装置を提供する。【解決手段】ＣＰＵは、制御装置の入出力Ｉ／Ｆに接続する計測機器から出力される機器情報を取得する。ＣＰＵは、機器情報の示す画像パターンが、機器情報テーブルに定義されている画像パターンと一致するかを判断する。ＣＰＵは、第一事象、第二事象及び第三事象のいずれかの発生に応じて、機器情報テーブルに定義されている画像パターンと一致すると判断された機器画像を表示する指示を画像表示部へ送信する。第一事象が発生している場合、ＣＰＵは、表示されている機器画像から、表示順テーブルにおいて次以降に後続する順番に対応する機器画像に切り替えて表示する指示を、画像表示部へ送信する（Ｓ８９）。【選択図】図９
2017068360.tif 000002
【特許請求の範囲】
【請求項１】
複数の計測機器のそれぞれから出力される機器情報を取得する機器情報取得手段と、
前記機器情報の形式と各計測機器とが関連付けられた機器テーブルを記憶するテーブル記憶部と、
前記機器テーブルを参照して、前記機器情報取得手段によって取得された前記機器情報が前記複数の計測機器のうちいずれに対応するかを判定する判定手段と、
前記判定手段によって判定された計測機器に対応する機器情報に基づく機器画像を、頭部に装着可能な表示部に表示させる表示制御手段と、
前記機器画像を前記表示部に表示させる順番を定めた表示順を記憶する表示順記憶部と、
前記表示部に表示されている機器画像を、他の機器画像に切り替える第一指示を取得する第一指示取得手段と
を備え、
前記表示制御手段は、前記第一指示取得手段によって前記第一指示が取得された場合、前記表示順記憶部を参照し、前記表示順記憶部に記憶されている前記表示順に基づいて他の機器画像を前記表示部に表示させることを特徴とする情報表示装置。
【請求項２】
前記機器テーブルは、前記機器情報に対応する機器画像の出力態様と各計測機器とを関連付けており、
前記機器テーブルを参照して、前記判定手段によって判定された計測機器に関連付けられている機器画像の出力態様に応じて、対応する機器情報に基づく機器画像である出力用画像を生成する画像生成手段を備え、
前記表示制御手段は、他の機器画像である前記出力用画像を前記表示部に表示させることを特徴とする請求項１に記載の情報表示装置。
【請求項３】
前記機器テーブルは、前記機器画像に含まれる特徴部分と各計測機器とを関連付けており、
前記判定手段は、前記機器情報取得手段によって取得された前記機器情報に基づく機器画像に前記特徴部分が含まれるかを判定し、
前記表示制御手段は、前記判定手段によって前記特徴部分が含まれると判定された場合に、前記特徴部分に関する特定画像を前記表示部に表示させることを特徴とする請求項１または２に記載の情報表示装置。
【請求項４】
前記判定手段は、前記機器情報取得手段によって前記機器情報が取得される毎に、取得された前記機器情報に基づく機器画像に前記特徴部分が含まれるかを判定することを特徴とする請求項３に記載の情報表示装置。
【請求項５】
前記表示順記憶部は、複数の前記表示順を記憶しており、
前記複数の表示順のうちいずれを選択するかを示す第二指示を取得する第二指示取得手段を備え、
前記表示制御手段は、前記第二指示取得手段によって取得された前記第二指示に応じた表示順に基づく機器画像を前記表示部に表示させることを特徴とする請求項１から４のいずれかに記載の情報表示装置。
【請求項６】
前記表示制御手段によって前記表示部に前記機器画像が表示された順番を示す情報を少なくとも含む表示結果情報を記憶する表示結果記憶部と、
前記表示結果記憶部を参照して、前記表示順記憶部に記憶されている前記表示順を前記表示結果情報に応じて更新する更新手段を備えたことを特徴とする請求項１から５のいずれかに記載の情報表示装置。
【請求項７】
前記表示部の位置を検出可能な検出手段を備え、
前記表示制御手段は、前記検出手段によって検出された前記位置が特定の前記位置である場合に、前記表示部に前記機器画像の表示を抑制させることを特徴とする請求項１から６のいずれかに記載の情報表示装置。
【請求項８】
前記表示部に表示されている機器画像が静止画であるか動画であるかを判断する画像判断手段を備え、
前記表示制御手段は、前記画像判断手段によって前記表示部に表示されている機器画像が動画であると判断された場合に、前記表示部に表示されている機器画像を継続して表示させ、且つ、前記第一指示取得手段によって前記第一指示が取得されたことに基づく報知画像を前記表示部に表示させることを特徴とする請求項１から７のいずれかに記載の情報表示装置。
【発明の詳細な説明】
【技術分野】
【０００１】
本発明は、ユーザに装着される情報表示部に情報を表示する情報表示装置に関する。
【背景技術】
【０００２】
医療用の診断機器を用いてヘッドマウントディスプレイ（Head Mounted Display、ＨＭＤ）に診断情報を出力する技術が知られている。診断機器の具体例として、心電図検査を行う心電計、超音波診断装置、Magnetic Resonance Imaging（ＭＲＩ）装置、Ｘ線Computed Tomography（ＣＴ）装置等がある。特許文献１では、複数の診断機器から送信された多種多様な診断情報を一元化する情報処理装置に複数のＨＭＤが接続されており、複数のＨＭＤのそれぞれに、ＨＭＤのユーザの医療現場における役割に応じた診断情報が出力される技術が開示されている。
【先行技術文献】
【特許文献】
【０００３】
【特許文献１】特開２０１５−１９６７８号公報
【発明の概要】
【発明が解決しようとする課題】
【０００４】
ところで、複数の診断機器が接続されたＨＭＤが医療現場で用いられる場面において、ＨＭＤに接続される診断機器の一部が変更されることがある。また、ＨＭＤにおいて表示中の診断情報画像とは異なる診断機器の診断情報画像の表示が、ユーザから要求されることがある。ユーザは、ＨＭＤの表示部に所望の診断情報画像を表示させるために、ＨＭＤのコントロールボックス（ＣＢ）に設けられたボタン等の操作部を手動で操作することがあるが、操作の頻度等によっては、操作自体を煩雑に感じることがある。接続されているすべての診断機器の診断情報画像をＨＭＤの表示部に表示させることも考えられる。しかしながら、ＨＭＤがユーザに装着されるものである性格上、ＨＭＤの表示部の表示領域は比較的小さいことが多く、複数の診断情報画像をユーザが視認可能な状態で一度に表示し難いことがある。
【０００５】
本発明は、画像表示のための操作頻度を低減しつつ、視認しやすい態様で複数の画像を表示できる情報表示装置を提供することを目的とする。
【課題を解決するための手段】
【０００６】
本発明に係る情報表示装置は、複数の計測機器のそれぞれから出力される機器情報を取得する機器情報取得手段と、前記機器情報の形式と各計測機器とが関連付けられた機器テーブルを記憶するテーブル記憶部と、前記機器テーブルを参照して、前記機器情報取得手段によって取得された前記機器情報が前記複数の計測機器のうちいずれに対応するかを判定する判定手段と、前記判定手段によって判定された計測機器に対応する機器情報に基づく機器画像を、頭部に装着可能な表示部に表示させる表示制御手段と、前記機器画像を前記表示部に表示させる順番を定めた表示順を記憶する表示順記憶部と、前記表示部に表示されている機器画像を、他の機器画像に切り替える第一指示を取得する第一指示取得手段とを備え、前記表示制御手段は、前記第一指示取得手段によって前記第一指示が取得された場合、前記表示順記憶部を参照し、前記表示順記憶部に記憶されている前記表示順に基づいて他の機器画像を前記表示部に表示させることを特徴とする情報表示装置。
【０００７】
本発明に係る情報表示装置によれば、第一指示が取得された場合、表示順に定められた順番に応じて機器画像が表示部に表示されるので、ユーザが画像を切り替えるための操作を行う頻度を低減させることができる。これにより、本発明に係る情報表示装置は、頭部に装着する表示部のように比較的小さな表示部においても、複数の計測機器のそれぞれから取得される機器画像をユーザに視認させやすい。従って、本発明に係る情報表示装置は、画像表示のための操作頻度を低減しつつ、視認しやすい態様で複数の機器画像を表示できる。
【０００８】
前記機器テーブルは、前記機器情報に対応する機器画像の出力態様と各計測機器とを関連付けていてもよい。前記機器テーブルを参照して、前記判定手段によって判定された計測機器に関連付けられている機器画像の出力態様に応じて、対応する機器情報に基づく機器画像である出力用画像を生成する画像生成手段を備えてもよい。前記表示制御手段は、他の機器画像である前記出力用画像を前記表示部に表示させてもよい。
【０００９】
機器画像によっては、複数の計測機器から取得されたままの機器画像をそのまま表示部に表示させるよりも、表示部の大きさ等に応じた出力態様の画像を生成して表示される方が、作業者が機器画像を視認しやすいことがある。情報表示装置は、機器テーブルに定められている機器画像の出力態様に応じて出力用画像を生成する画像生成手段を備えるので、視認しやすい態様で複数の機器画像を表示できる。
【００１０】
前記機器テーブルは、前記機器画像に含まれる特徴部分と各計測機器とを関連付けていてもよい。前記判定手段は、前記機器情報取得手段によって取得された前記機器情報に基づく機器画像に前記特徴部分が含まれるかを判定してもよい。前記表示制御手段は、前記判定手段によって前記特徴部分が含まれると判定された場合に、前記特徴部分に関する特定画像を前記表示部に表示させてもよい。
【００１１】
この場合、情報表示装置は、機器画像に特徴部分が含まれる場合、特徴部分を含む機器画像を表示部に表示するので、ユーザが特徴部分を見逃す可能性を低減できる。
【００１２】
前記判定手段は、前記機器情報取得手段によって前記機器情報が取得される毎に、取得された前記機器情報に基づく機器画像に前記特徴部分が含まれるかを判定してもよい。
【００１３】
この場合、機器情報が取得される毎に、機器画像に特徴部分が含まれるかが判定されるので、情報表示装置は、ユーザが特徴部分を見逃す可能性をさらに低減できる。
【００１４】
前記表示順記憶部は、複数の前記表示順を記憶してもよい。前記複数の表示順のうちいずれを選択するかを示す第二指示を取得する第二指示取得手段を備えてもよい。前記表示制御手段は、前記第二指示取得手段によって取得された前記第二指示に応じた表示順に基づく機器画像を前記表示部に表示させてもよい。
【００１５】
情報表示装置の使用される場面が複数想定されることがある。情報表示装置は、表示順記憶手段に記憶されている複数の表示順からいずれを選択するかの第二指示を取得し、第二指示に応じた表示順に基づく機器画像を表示できる。このため、情報表示装置の使用される場面が複数であっても、情報表示装置は場面に応じた表示順に基づいて機器画像を表示できる。
【００１６】
前記情報表示装置は、前記表示制御手段によって前記表示部に前記機器画像が表示された順番を示す情報を少なくとも含む表示結果情報を記憶する表示結果記憶部と、前記表示結果記憶部を参照して、前記表示順記憶部に記憶されている前記表示順を前記表示結果情報に応じて更新する更新手段を備えてもよい。
【００１７】
この場合、表示部に機器画像が表示された順番が少なくとも示された表示結果情報に応じて、表示順記憶部に記憶されている表示順が更新される。このため、情報表示装置は、従前の情報表示装置の使用状況に即した表示順で機器画像を表示できる。
【００１８】
前記情報表示装置は、前記表示部の位置を検出可能な検出手段を備えてもよい。前記表示制御手段は、前記検出手段によって検出された前記位置が特定の前記位置である場合に、前記表示部に前記機器画像の表示を抑制させてもよい。
【００１９】
情報表示装置によって表示される機器画像の視認をユーザが必要としない場面がある。このような場合、ユーザは、表示部の位置を頭部に対して特定の位置に配置して、機器画像を視認しないようにすることがある。このような場合に、情報表示装置は表示部に機器画像の表示を抑制させるので、表示部に機器画像を表示するための消費電力を抑制できる。
【００２０】
前記情報表示装置は、前記表示部に表示されている機器画像が静止画であるか動画であるかを判断する画像判断手段を備えてもよい。前記表示制御手段は、前記画像判断手段によって前記表示部に表示されている機器画像が動画であると判断された場合に、前記表示部に表示されている機器画像を継続して表示させ、且つ、前記第一指示取得手段によって前記第一指示が取得されたことに基づく報知画像を前記表示部に表示させてもよい。
【００２１】
機器画像が動画である場合、ユーザは表示されている動画の機器画像を継続して視認したい場合がある。情報表示装置は、機器画像が静止画であるか動画であるかを判断し、動画である場合には機器画像の表示を継続し、第一指示が取得されたことに基づく報知画像を表示する。このため、ユーザに表示されている動画の機器画像の視認を継続させつつ、報知画像によって第一指示が取得されていることをユーザに報知できる。
【図面の簡単な説明】
【００２２】
【図１】ＨＭＤ１０の正面図である。
【図２】ＨＤ２０が特定位置に配置されたＨＭＤ１０の正面図である。
【図３】ＨＭＤ１０の電気的構成を示すブロック図である。
【図４】機器情報テーブル６０のデータ構成を示す図である。
【図５】心電図画像７１を例として、機器情報テーブル６０における拡大位置座標、拡大領域、アラーム抽出位置座標及びアラーム閾値を説明するための説明図である。
【図６】表示順テーブル７０のデータ構成を示す図である。
【図７】機器情報表示処理のフローチャートである。
【図８】接続機器判断処置のフローチャートである。
【図９】接続機器確認処理のフローチャートである。
【図１０】アラーム発生時処理のフローチャートである。
【図１１】アラーム解除画像７７の具体例である。
【図１２】アラーム報知画像７９の具体例である。
【図１３】ＨＤ位置判断処理のフローチャートである。
【図１４】表示順更新処理のフローチャートである。
【図１５】表示結果テーブル８０のデータ構成を示す図である。
【図１６】Ｓ１４３の処理が実行された場合の表示結果テーブル８０のデータ構成を示す図である。
【発明を実施するための形態】
【００２３】
以下、本発明の一実施形態であるヘッドマウントディスプレイ（Head Mounted Display、以下、「ＨＭＤ」という。）１０について、図面を参照して説明する。ＨＭＤ１０は、映像信号が入力される入力部を備えた情報表示装置の一例である。以下の説明において、図１の上方、下方、左下方、右上方、右下方、及び左上方が、各々、ＨＭＤ１０の上方、下方、前方、後方、右方、及び左方である。
【００２４】
図１及び図２を参照して、ＨＭＤ１０の概要について説明する。ＨＭＤ１０は、ヘッドディスプレイ（以下、「ＨＤ」という。）２０、装着具８、接続具９と制御装置（以下、「コントロールボックス」または「ＣＢ」という。）３０（図３参照）を備える。
【００２５】
ＨＤ２０の構成について説明する。ＨＤ２０は、画像光を投影する機能を有する。ＨＤ２０の投影形式は、虚像投影型である。具体的には、ＨＤ２０は、画像光を後方に向けて照射する。画像光は、受光対象物（例えば、ＨＭＤ１０を装着したユーザの眼）に入射する。ＨＤ２０は、筐体２を備える。筐体２は、左側に樹脂製のハーフミラー（図示せず）を備える。ハーフミラーは、ＨＭＤ１０がユーザの頭部に装着されたとき、ユーザの眼（例えば左眼）の前方に配置される。ＨＤ２０は、筐体２の内部に、画像表示部２２（図３参照）とレンズユニット（図示せず）を備える。画像表示部２２は、後述するＣＢ３０から送信される映像信号に基づいて画像を表示する。画像表示部２２は、例えば、液晶素子等の空間変調素子および光源である。画像表示部２２は、液晶ディスプレイ、および有機ＥＬ（Organic Electro-luminescence）ディスプレイ等であってもよい。さらに、画像表示部２２は、２次元的に走査された光をユーザの網膜上に投影する網膜走査型の投影装置であってもよい。
【００２６】
レンズユニットは、画像表示部２２に表示された画像を示す画像光を集光し、筐体２の左端からハーフミラーに向けて照射する。レンズユニットから照射された画像光は、筐体２の左側に設けられたハーフミラーによって少なくとも一部（例えば半分）後方に向けて反射される。ＨＭＤ１０がユーザの頭部に装着されたとき、ハーフミラーによって反射された画像光が、ユーザの一方（例えば左）の眼球（図示せず）に入射する。眼球に入射した画像光は、水晶体によって網膜上に結像することで、虚像（画像）としてユーザに視認される。ハーフミラーは外界の実像からの光の少なくとも一部を透過するので、ユーザの視野において実像（外界の風景）に重畳させた画像をユーザに見せることができる。なお、ハーフミラーは、ガラス製であってもよい。また、ハーフミラーの代わりに、プリズムや回折格子のような、屈折、内部全反射または回折などの作用によって光路を偏向する光路偏向部材を用いてもよい。また、ハーフミラーの代わりに、全反射のミラーを用いてもよい。
【００２７】
装着具８は、ＨＤ２０をユーザの頭部に保持するための構成である。装着具８は、例えば、可撓性を有する樹脂、ステンレスなどの金属素材によって形成される。装着具８は、第一部分８Ａおよび一対の第二部分８Ｂを有する。第一部分８Ａおよび一対の第二部分８Ｂは、それぞれ、湾曲した細長い板状の部材である。装着具８は、ユーザの前頭部に第一部分８Ａを、ユーザの右側頭部および左側頭部のそれぞれに一対の第二部分８Ｂを沿わせた状態で、ユーザの頭部に装着される。
【００２８】
接続具９は、装着具８とＨＤ２０とを接続するための構成である。接続具９は、やや湾曲した棒状の部材である。接続具９の上端部は、装着具８と接続する。接続具９の下端部は、ＨＤ２０と接続する。接続具９は、装着具８から離間した位置にＨＤ２０を保持する。図１に示すように、接続具９は、装着具８がユーザに装着された状態で、筐体２のハーフミラーを、ユーザの左眼の前方に配置できる。この場合、ユーザは、画像表示部２２に表示された画像を、ハーフミラーを介して視認できる。また、図２に示すように、接続具９は、装着具８がユーザに装着された状態で、筐体２のハーフミラーを、ユーザの左眼の前方よりも上方に配置できる。例えば、ユーザが画像表示部２２に表示される画像の視認を必要としない場合、ユーザは、接続具９の下端部を上方に移動させて、図２に示す位置において接続具９にＨＤ２０を保持させることができる。図２に示すＨＭＤ１０におけるＨＤ２０の位置を、以下、「特定位置」という。なお、特定位置が、本発明の「特定の位置」に相当する。
【００２９】
ＣＢ３０は、ＨＤ２０を制御する。ＣＢ３０は、ＨＤ２０とハーネス７（図３参照）を介して接続される。なお、ＣＢ３０とＨＤ２０とは、ハーネス７によらず、無線を介して無線通信を行ってもよい。ＣＢ３０は、ＨＤ２０とは異なる位置（例えば、ユーザの腰ベルト、腕等）に装着される。ただし、ＣＢ３０は、ＨＤ２０または装着具８と一体に構成されてもよい。ＣＢ３０は、電源スイッチ及び操作ボタン（図示せず）を含む操作部３７を備える。ＨＤ２０における各種設定、使用時における各種操作、電源のオンオフ操作等は、操作部３７に対して入力される。
【００３０】
図３を参照し、ＨＭＤ１０の電気的構成について説明する。まず、ＣＢ３０の電気的構成を説明する。ＣＢ３０は、ＣＢ３０全体の制御を行うＣＰＵ３１を備える。ＣＰＵ３１は、ＲＡＭ３２、フラッシュメモリ３３、入出力インターフェース（以下、「入出力Ｉ／Ｆ」という。）３４、操作部３７及び接続コントローラ３５に電気的に接続する。ＲＡＭ３２は、ＣＰＵ３１による演算処理で得られた演算結果等、各種のデータを一時的に記憶する。
【００３１】
フラッシュメモリ３３は、不揮発性の記憶装置である。フラッシュメモリ３３は、ＯＳを記憶する。また、フラッシュメモリ３３は、ＣＰＵ３１が実行する各種プログラム、各種プログラムが使用するフラグやデータの初期値等を記憶する。各種プログラムは、ＯＳ上で実行される。
【００３２】
フラッシュメモリ３３は、少なくとも、プログラム記憶エリア３３１、機器情報テーブル記憶エリア３３２、表示順テーブル記憶エリア３３３、表示結果テーブル記憶エリア３３４の記憶領域を確保している。プログラム記憶エリア３３１は、後述する機器情報表示処理をＣＰＵ３１が実行するための機器情報表示プログラムを少なくとも記憶する。機器情報テーブル記憶エリア３３２は、後述する機器情報テーブル６０（図４参照）を記憶する。表示順テーブル記憶エリア３３３は、後述する表示順テーブル７０（図６参照）を記憶する。表示結果テーブル記憶エリア３３４は、後述する表示結果テーブル８０（図１５及び図１６参照）を記憶する。機器情報表示プログラムを含む各種プログラム、機器情報テーブル６０、表示順テーブル７０及びＯＳは、例えばＨＭＤ１０の出荷時にフラッシュメモリ３３に記憶される。なお、表示結果テーブル８０は、ＨＭＤ１０において機器画像が実際に表示されることで生成されるテーブルであるので、ＨＭＤ１０の出荷時にフラッシュメモリ３３に記憶されている必要はない。
【００３３】
また、ＨＭＤ１０は、各種プログラムおよびＯＳを、無線通信を介してプログラムダウンロード用のサーバからダウンロードし、インストールしてもよい。例えば、各種プログラムおよびＯＳは、コンピュータで読み取り可能な一時的な記憶媒体（例えば、伝送信号）として、サーバからＨＭＤ１０に送信されてもよい。フラッシュメモリ３３は、非一時的な記憶媒体の一例である。非一時的な記憶媒体は、情報を記憶する期間に関わらず、情報を記憶可能な記憶媒体であればよい。非一時的な記憶媒体は、一時的な記憶媒体（例えば、伝送される信号）を含まなくてもよい。本実施形態における記憶装置はフラッシュメモリ３３であるが、記憶装置は、情報を記憶する時間の長さに関わらずデータを保持できる、他の非一時的な記憶媒体、例えば、ＲＯＭ、ＲＡＭ等で構成されてもよい。
【００３４】
入出力Ｉ／Ｆ３４は、所定の規格（例えば、Universal Serial Bus (USB)）に適合した１又は複数のインターフェースの入力端子を含み、ＣＢ３０と外部装置とを接続するための入力ポートとして機能する。本実施形態では、計測機器１〜Ｎの複数の計測機器５０が入出力Ｉ／Ｆ３４に接続可能である。計測機器５０は、医療の現場で使用される種々の機器である。計測機器５０は、例えば、心電図検査を行う心電計、脳波の計測を行う脳波計、超音波診断装置、ＭＲＩ装置、Ｘ線ＣＴ装置、パーソナルコンピュータ（ＰＣ）等で構成されてカルテの画像を出力する情報処理装置等である。入出力Ｉ／Ｆ３４は、接続されている計測機器５０から入力される情報をそれぞれ取得する。計測機器５０から入力される情報は、計測機器５０によって測定又は撮像等された内容を示す画像に対応する情報であり、以下では「機器情報」ともいう。
【００３５】
操作部３７は、ユーザによる操作に対応する入力信号等の入出力を行う。接続コントローラ３５は、ハーネス７を介してＨＤ２０の接続コントローラ２１と電気的に接続し、有線通信を行う。
【００３６】
次いで、ＨＤ２０の電気的構成を説明する。ＨＤ２０は、接続コントローラ２１、画像表示部２２及び検出部２３を備えている。接続コントローラ２１、画像表示部２２及び検出部２３は、電気的に接続される。接続コントローラ２１は、ハーネス７を介してＣＢ３０の接続コントローラ３５と電気的に接続し、有線通信を行う。画像表示部２２は前述の通り、映像信号に基づいて画像を表示する。検出部２３は、ＨＭＤ１０におけるＨＤ２０の位置を検出可能なセンサである。本実施形態では、検出部２３は、筐体２の内部に設けられた周知の加速度センサであり、地球の重力加速度を計測することでＨＤ２０の傾きを検出し、検出結果を出力する。出力された検出結果は、接続コントローラ２１を介してＣＢへ送信される。ＣＢ３０のＣＰＵ３１は、検出部２３の検出結果に応じて、ＨＤ２０が、特定位置に配置されているかを判断する。
【００３７】
図４及び図５を参照して、ＣＢ３０におけるフラッシュメモリ３３の機器情報テーブル記憶エリア３３２に記憶されている機器情報テーブル６０について説明する。図４に示すように、機器情報テーブル６０には、計測機器、画像パターン、動画／静止画、拡大位置座標、拡大領域、アラーム抽出位置座標、アラーム閾値、分割表示サイズが関連付けられて記憶されている。計測機器は、計測機器１〜Ｎのいずれかを示す。画像パターンは、入出力Ｉ／Ｆ３４を介してＣＰＵ３１に入力される機器情報が、いずれの計測機器５０から出力されたものであるかを識別可能な情報である。本実施形態では、画像パターンは、複数の計測機器５０のそれぞれから入力される機器画像の示す画像信号のパターンを示す情報である。画像パターンは、入出力Ｉ／Ｆ３４を介してＣＢ３０に入力される機器情報に対応する機器画像が、いずれの計測機器５０のものであるかをパターンマッチングによって判定するためのテンプレート画像についての情報であってもよい。また、画像パターンは、機器情報の有する計測機器５０毎に固有の画像信号のパターンを抽出したものであってもよい。また、画像パターンは、計測機器５０のそれぞれが機器情報のヘッダ情報として出力する種々の情報であってもよい。動画／静止画は、計測機器５０の出力する機器情報に基づく画像である機器画像が、動画であるか静止画であるかを示す。
【００３８】
拡大位置座標は、機器画像の一部が拡大されてＨＤ２０の画像表示部２２に表示される場合に、機器画像の一部を機器画像から切り出す基準となる位置を示すものである。本実施形態では、拡大位置座標は、機器画像の左下角を原点（０，０）とした場合の、機器画像における座標位置を示す値で定義されている。拡大領域は、機器画像の一部を機器画像から切り出す領域を、縦軸×横軸のドット数で示している。機器画像の全体が画像表示部２２に表示された場合、機器画像の全体に含まれる情報量によっては、機器画像を視認したユーザにおいて、機器画像に示される病状等を判断するのに必要な時間が比較的長くなることがある。このような場合、機器画像の全体のうちユーザが必要とする要部が機器画像から切り出され、切り出された要部が画像表示部２２に拡大表示されると、ユーザが、拡大表示された画像から病状等を即時に判断しやすくなることがある。
【００３９】
例えば、計測機器５０のうちの一つである計測機器１が心電計であり、計測機器１から出力される機器情報の示す機器画像が心電図の画像である場合を例にして説明する。図５に示すように、心電図の画像の例である心電図画像７１は、中央から左側の領域において、計測機器１によって計測される各種の値に応じた複数の波形を示す。また、心電図画像７１は、右側の領域において、計測機器１によって計測される各種の値に応じた複数の数値を示す。点７２は、機器情報テーブル６０において計測機器１に対応付けられている拡大位置座標（Ｘ１，Ｘ２）に対応する位置を示す。領域７３は、拡大位置座標（Ｘ１，Ｘ２）を原点として機器情報テーブル６０において計測機器１に対応付けられている拡大領域を適用した領域である。即ち、計測機器１の機器画像である心電図画像７１を画像表示部２２に表示する場合、ＣＰＵ３１は、心電図画像７１のうち領域７３の画像に対応する出力用画像を生成し、生成した出力用画像を画像表示部２２に表示させる。
【００４０】
アラーム抽出位置座標は、計測機器５０による計測値が異常値を示すこと等によって、ユーザへの警告が必要な特徴を示す画像であるアラーム画像が機器画像に含まれる場合に、アラーム画像を機器画像から抽出するための基準位置を示すものである。アラーム閾値は、計測機器５０による計測値等に基づいて、機器画像にアラーム画像が含まれるとＣＰＵ３１によって判断される基準値を設定している。図６の例では、点７５が、機器情報テーブル６０において計測機器１に対応付けられているアラーム抽出位置座標（Ｘ１１，Ｙ１１）に対応する位置を示す。心電図画像７１の場合には、計測機器１の計測値に基づく波形が、直線７４を上回るように描かれる場合に、心電図画像７１にアラーム画像が含まれるとＣＰＵ３１によって判断される。即ち、心電図画像７１における直線７４を示す情報が、計測機器１のアラーム閾値として記憶されている。心電図画像７１にアラーム画像が含まれるとＣＰＵ３１によって判断された場合、アラーム抽出位置座標（Ｘ１１，Ｙ１１）を基準とした所定の大きさの領域を示すアラーム画像を抽出するための情報が、機器情報に基づいて生成される。そして、生成された情報に基づいて、画像表示部２２にアラーム画像が表示される。
【００４１】
機器画像は、画像表示部２２に様々な態様で表示されうる。例えば、機器画像が画像表示部２２に表示される際に、画像表示部２２の表示領域全体に機器画像が表示されず、画像表示部２２の表示領域の一部が分割され、分割された領域に機器画像が表示されてもよい。分割表示サイズは、機器画像をこのような分割表示をするために、画像表示部２２の表示領域に対して機器画像を表示する領域のサイズを定めている。本実施形態では、ＨＭＤ１０は、機器画像を画像表示部２２に表示する際の表示モードとして、機器画像を分割表示する分割モードと、機器画像を分割表示しない通常モードとを備えている。
【００４２】
図６を参照して、ＣＢ３０におけるフラッシュメモリ３３の表示順テーブル記憶エリア３３３に記憶されている表示順テーブル７０について説明する。表示順テーブル７０は、画像表示部２２に機器画像を表示させる順番を定めたものである。ＣＰＵ３１は、表示順テーブル７０を参照して、表示順テーブル７０に定められた順番に応じた順で、機器画像を画像表示部２２に表示させることができる。
【００４３】
ユーザがＨＭＤ１０を使用する使用シーン及び使用シーン毎のユーザの役割に応じて、ユーザが必要とする機器画像の種類及び機器画像を視認したい順番、及びそれぞれの機器画像を視認したい時間の長さが異なることがある。図６に示すように、表示順テーブル７０には、使用パターン毎に、順番、計測機器及び設定時間が関連付けられて記憶されている。使用パターンは、医療現場においてＨＭＤ１０の使用される様々なパターンを定義している。使用パターンは、例えば、手術の種類等のＨＭＤ１０の使用シーン、手術等の医療現場におけるＨＭＤ１０のユーザの役割等に応じて、複数設けられている。順番及び計測機器は、機器情報に基づく機器画像の表示順を定義している。このうち、順番は、機器情報の表示順を示し、「１」番目から、順番の最後である「Ｌ」番目までの順が定義されている。計測機器は、表示する機器画像に対応する計測機器５０が、計測機器１〜Ｎのいずれであるかを示す。設定時間は、順番に応じて表示される機器画像のそれぞれの表示時間を予め設定している。本実施形態では、表示順テーブル７０に、使用シーンとして「ＡＡ手術」が、また、ＡＡ手術における役割として「執刀医」及び「麻酔科医」が設けられている。図６に示すように、「ＡＡ手術執刀医」用パターンと、「ＡＡ手術麻酔科医」パターンとでは、異なる表示順が定義されている。このように、表示順テーブル７０には複数の使用パターンに応じた機器画像の表示順を複数定義できるので、ＨＭＤ１０は、ユーザの使用パターンに適した機器画像を、ＨＭＤ１０のユーザに提供できる。
【００４４】
図７から図１６を参照して、機器情報表示処理について説明する。ＨＭＤ１０は、前述のように、予めフラッシュメモリ３３に機器情報表示プログラムを記憶した状態で出荷される。機器情報表示プログラムは、ＨＭＤ１０のＣＢ３０におけるＣＰＵ３１が実行するプログラムである。機器情報表示プログラムを実行したＣＰＵ３１は、機器情報に基づく機器画像を、表示順テーブル７０に定義されている表示順に応じた機器画像、又はその他の契機に応じた機器画像に切り替えつつ、ＨＤ２０の画像表示部２２に表示させる処理を行う。
【００４５】
機器情報表示処理で使用する各種タイマカウンタについて説明する。ＲＡＭ３２には、設定時間カウンタ、表示時間カウンタ及び機器探索時間カウンタが記憶されている。設定時間カウンタは、表示順テーブル７０に定義されている設定時間を計測する。設定時間カウンタは、表示順テーブル７０に定義されている順番に応じて機器画像が画像表示部２２に表示される場合、機器画像の表示開始から設定時間を計測する。設定時間に対応するカウンタ値が設定時間カウンタにセットされると、セットされた設定時間カウンタの値が、０を下限値として順次減算される。
【００４６】
表示時間カウンタは、機器画像が実際に表示された時間の長さである表示時間Ｔを計測する。表示時間カウンタによって表示時間Ｔの計測が開始されると、表示時間カウンタのカウンタ値が順次加算される。
【００４７】
機器探索時間カウンタは、後述する接続機器確認処理（図９参照）において、所定の計測機器５０がＣＢ３０に接続されているかを探索する探索時間を計測する。所定の探索時間に対応するカウンタ値が機器探索時間カウンタにセットされると、セットされた機器探索時間カウンタの値が、０を下限値として順次減算される。なお、設定時間カウンタ、表示時間カウンタ及び機器探索時間カウンタによる計測は、ＯＳのタイマ機能に基づいて行われる。
【００４８】
機器情報表示処理で使用する各種フラグについて説明する。ＲＡＭ３２には、第一フラグ、第二フラグ、第三フラグ、特定位置フラグ等が記憶されている。第一フラグは、表示順テーブル７０に定義されている表示順に応じて機器画像を切り替えるべき事象である第一事象が発生している場合に「ＯＮ」とされ、第一事象が発生していない場合に「ＯＦＦ」とされる。第一事象は、設定時間カウンタによって計測されていた設定時間が経過することで設定時間カウンタの値が「０」となった後の所定期間内に、操作部３７を介した第一入力がない場合に発生する。第一入力は、例えば、ユーザが操作部３７の操作ボタンを短めに１回押す動作に基づく入力とする。また、第一事象は、設定時間カウンタによって計測されている設定時間が経過するよりも前に第一入力があり、さらにその後に再度第一入力があった場合に発生する。また、第一事象は、設定時間カウンタによって計測されていた設定時間が経過することで設定時間カウンタの値が「０」となった後の所定期間内に第一入力があり、さらにその後に再度第一入力があった場合に発生する。即ち、本実施形態において、設定時間の経過に応じてユーザが第一入力に対応する動作を行わない場合、画像表示部２２に表示される機器画像が、表示順テーブル７０に定義されている表示順に応じて切り替えられる。また、設定時間経過前にユーザが第一入力に対応する動作を行った後、ユーザが再度第一入力に対応する動作を行った場合、設定時間の経過前であっても、表示順テーブル７０に定義されている表示順に応じた他の機器画像が、画像表示部２２に表示される。また、設定時間経過後の所定期間内にユーザが第一入力に対応する動作を行った場合、表示中の機器画像が継続して画像表示部２２に表示される。そして、その後にユーザが第一入力に対応する動作を行った時点に、画像表示部２２に表示される機器画像が、表示順テーブル７０に定義されている表示順に応じて切り替えられる。また、第一事象は、ＣＢ３４の入出力Ｉ／Ｆ３４に接続されている計測機器５０の数に増減があった場合にも発生する。
【００４９】
第二フラグは、第二事象が発生している場合に「ＯＮ」とされ、第二事象が発生していない場合、又は後述のアラーム解除指示がユーザによって操作部３７を介して入力されたことに応じて「ＯＦＦ」とされる。本実施形態において、第二事象は、入出力Ｉ／Ｆ３４から入力される機器情報に基づく機器画像にアラーム画像が含まれている状態である。
【００５０】
第三フラグは、第三事象が発生している場合に「ＯＮ」とされ、第三事象が発生していない場合に「ＯＦＦ」とされる。第三事象は、ＣＰＵ３１が機器情報表示処理を実行する間に、操作部３７を介した第二入力があった場合に発生する。第二入力は、例えば、ユーザが、操作部３７の操作ボタンを、第一入力に応じたものよりも長めに１回押す動作に基づく入力とする。本実施形態において、ＣＰＵ３１は、第二入力に応じて、ユーザの所望の計測機器５０の機器画像をユーザに選択させるとする。
【００５１】
特定位置フラグは、ＨＤ２０が特定位置にある場合に「ＯＮ」とされ、ＨＤ２０が特定位置にない場合に「ＯＦＦ」とされる。ＨＤ２０が特定位置にあるかの判断は、検出部２３の検出結果に基づいてＣＰＵ３１によって行われる。
【００５２】
次いで、機器情報表示持処理の実行に伴いＣＰＵ３１が行う処理について説明する。ユーザがＣＢ３０の操作部３７における電源スイッチを操作すると、ＣＰＵ３１は、起動時における所定の初期設定処理（図示せず）に伴う動作を行う。ＣＰＵ３１は、ＲＡＭ３２に記憶するフラグやデータを初期化し、フラッシュメモリ３３に記憶されているフラグやデータの初期値をＲＡＭ３２に書き込む。
【００５３】
上記の初期設定処理が終了すると、ＣＰＵ３１は、機器情報表示処理を開始する。図７に示すように、機器情報表示処理が開始されると、ＣＰＵ３１は、使用パターンを取得したかを判断する（Ｓ１１）。例えば、ユーザは、ＨＭＤ１０を使用する使用シーンである「ＡＡ手術」及び使用シーンにおけるユーザの役割である「執刀医」からなる使用パターンを、操作部３７を介して入力する。ＣＰＵ３１は、取得した使用パターンをＲＡＭ３２に記憶する。ＣＰＵ３１は、使用パターンが取得されるまでの間（Ｓ１１：ＮＯ）、Ｓ１１の判断を繰り返す。使用パターンが取得された場合（Ｓ１１：ＹＥＳ）、ＣＰＵ３１は、接続機器判断処理を実行する（Ｓ１３）。
【００５４】
図８を参照して、接続機器判断処理（Ｓ１３、図７）について説明する。接続機器判断処理は、ＣＢ３０の入出力Ｉ／Ｆ３４に接続されているいずれの計測機器５０が接続されているのかを判断するための処理である。図８に示すように、接続機器判断処理が開始されると、ＣＰＵ３１は、入出力Ｉ／Ｆ３４に設けられている入力端子の番号を特定するための端子カウンタの値に「１」をセットする（Ｓ６１）。以下、端子カウンタの値を「Ｘ」と表記する場合がある。端子カウンタは、ＲＡＭ３２に記憶される。ＣＰＵ３１は、入出力Ｉ／Ｆ３４のＸ番目の入力端子に計測機器５０が接続されているかを判断する（Ｓ６２）。Ｘ番目の入力端子に機器情報が入力されていない場合、ＣＰＵ３１は、Ｘ番目の入力端子に計測機器５０が接続されていないと判断し（Ｓ６２：ＮＯ）、処理をＳ７１の判断へ移行する。以下、Ｘ番目の入力端子のことを、入力端子Ｘという。
【００５５】
入力端子Ｘに機器情報が入力されている場合、ＣＰＵ３１は、入力端子Ｘに計測機器５０が接続されていると判断し（Ｓ６２：ＹＥＳ）、入力端子Ｘに接続する計測機器５０から出力される機器情報を取得する（Ｓ６３）。ＣＰＵ３１は、フラッシュメモリ３３の機器情報テーブル記憶エリア３３２に記憶されている機器情報テーブル６０を参照する（Ｓ６４）。ＣＰＵ３１は、Ｓ６３の処理で取得した機器情報の示す画像パターンと、機器情報テーブル６０に定義されている画像パターンのそれぞれとを比較する（Ｓ６５）。ＣＰＵ３１は、機器情報の示す画像パターンと、機器情報テーブル６０に定義されているいずれかの画像パターンとが一致するか否かを判断する（Ｓ６６）。取得された機器情報の示す画像パターンが、機器情報テーブル６０に定義されているいずれの画像パターンとも一致しない場合（Ｓ６６：ＮＯ）、ＣＰＵ３１は、処理をＳ７１の判断へ移行する。
【００５６】
機器情報の示す画像パターンと、機器情報テーブル６０に定義されているいずれかの画像パターンとが一致する場合（Ｓ６６：ＹＥＳ）、ＣＰＵ３１は、入力端子Ｘに接続している計測機器を、機器情報テーブル６０において一致する画像パターンに対応する計測機器と判定する（Ｓ６８）。ＣＰＵ３１は、機器情報テーブル６０において、入力端子Ｘに接続されたと判定された計測機器５０に関連付けられているアラーム閾値を参照し、機器情報に基づく機器画像にアラーム画像が含まれているかを判断する（Ｓ６９）。機器情報に基づく機器画像にアラーム画像が含まれている場合（Ｓ６９：ＹＥＳ）、ＣＰＵ３１は、第二フラグを「ＯＮ」として（Ｓ７０）、処理をＳ７１の判断へ移行する。機器情報に基づく機器画像にアラーム画像が含まれていない場合（Ｓ６９：ＮＯ）、ＣＰＵ３１は、処理をＳ７１の判断へ移行する。
【００５７】
ＣＰＵ３１は、端子カウンタの値が、入出力Ｉ／Ｆ３４の備える入力端子の最大数であるＸｍａｘと等しいかを判断する（Ｓ７１）。端子カウンタの値とＸｍａｘとが等しくない場合（Ｓ７２）、ＣＰＵ３１は、端子カウンタに「１」を加算して（Ｓ７２）、処理をＳ６２へ戻す。ＣＰＵ３１は、端子カウンタの値とＸｍａｘとが等しくなるまでＳ６２からＳ７０の処理を繰り返す。端子カウンタの値とＸｍａｘとが等しい場合（Ｓ７１：ＹＥＳ）、ＣＰＵ３１は、入力端子Ｘと入力端子Ｘに接続されている計測機器５０とを対応付けた対応リスト（図示せず）を生成し、生成した対応リストをＲＡＭ３２に記憶する（Ｓ７４）。このようにして、ＣＢ３０は、入出力Ｉ／Ｆ３４の入力端子Ｘにいずれの計測機器５０が接続されているかを認識する。本実施形態では、Ｓ６９の判断において、機器画像にアラーム画像が含まれていると判断された場合、ＣＰＵ３１は、対応リストにおいて、アラーム画像を含んでいる機器画像に対応する計測機器５０に識別子を付して記憶する。ＣＰＵ３１は、処理を機器情報表示処理（図６参照）へ戻す。
【００５８】
図７の説明に戻る。次いで、ＣＰＵ３１は、機器情報に基づく機器画像の表示順を記憶する表示順カウンタの値に「１」をセットする。表示順カウンタは、ＲＡＭ３２に記憶される。以下、表示順カウンタの値を「Ｍ」と表記する場合がある。ＣＰＵ３１は、接続機器確認処理を実行する（Ｓ１５）。
【００５９】
図９を参照して、接続機器確認処理（Ｓ１５、図７参照）について説明する。接続機器確認処理は、表示順テーブル７０に定義されている表示順に応じた計測機器５０が入出力Ｉ／Ｆ３４に接続されているかを確認し、接続を確認した計測機器５０から出力される機器情報に基づく機器画像を画像表示部２２に表示させるための処理である。図９に示すように、接続機器確認処理が開始されると、ＣＰＵ３１は、フラッシュメモリ３３の表示順テーブル記憶エリア３３３に記憶されている表示順テーブル７０のうち、Ｓ１１の処理でＲＡＭ３２に記憶した使用パターンに対応するテーブル部分を参照する（Ｓ８１）。
【００６０】
ＣＰＵ３１は、使用パターンに応じた表示順テーブル７０に定義されている順番のうち、表示順カウンタの値に対応するＭ番目の計測機器５０が入出力Ｉ／Ｆ３４に接続されているかを判断する（Ｓ８２）。Ｍ番目の計測機器５０が入出力Ｉ／Ｆ３４に接続されている場合（Ｓ８２：ＹＥＳ）、ＣＰＵ３１は、処理をＳ８８へ移行する。ＣＰＵ３１は、この判断を、Ｓ７４（図８参照）の処理においてＲＡＭ３２に記憶されたリストを参照し、参照したリストに、表示順テーブル７０におけるＭ番目の計測機器５０が含まれるかによって実行できる。
【００６１】
Ｍ番目の計測機器５０が入出力Ｉ／Ｆ３４に接続されていない場合（Ｓ８２：ＮＯ）、ＣＰＵ３１は、エラー報知画像（図示せず）を表示する指示を、接続コントローラ３５を介して画像表示部２２へ送信する（Ｓ８３）。画像表示部２２は、Ｓ８３の指示に応じて、エラー報知画像を表示する。エラー報知画像は、表示順テーブル７０に定義された表示順であって、次に表示されるべき機器画像に対応する計測機器５０が、ＣＢ３０の入出力Ｉ／Ｆ３４に接続されていないことをユーザに報知するための画像である。エラー報知画像は、例えば、「計測機器４を接続してください」等のメッセージを表示した画像である。エラー報知画像を示すデータは、予めフラッシュメモリ３３等に記憶されているものとする。
【００６２】
ＣＰＵ３１は、探索時間の計測を開始する（Ｓ８４）。探索時間は、Ｓ８３の処理によって画像表示部２２に表示されたエラー報知画像を視認したユーザが、必要な計測機器５０をＣＢ３０の入出力Ｉ／Ｆ３４に接続するために必要な時間を考慮して設定すればよい。ＣＰＵ３１は、前述の接続機器判断処理（図８参照）を実行する（Ｓ８５）。これにより、ＣＰＵ３１は、前回のＳ１３（図７参照）の処理の実行においてＲＡＭ３２に記憶した対応リストを、新たに入出力Ｉ／Ｆ３４に接続された計測機器５０と、当該計測機器５０の接続された入力端子Ｘとの対応付けを含む対応リストに更新する。
【００６３】
ＣＰＵ３１は、Ｓ８５の処理で更新された対応リストを参照して、使用パターンに応じた表示順テーブル７０に定義されている順番のうち、Ｍ番目の計測機器５０が入出力Ｉ／Ｆ３４に接続されているかを判断する（Ｓ８６）。Ｍ番目の計測機器５０が入出力Ｉ／Ｆ３４に接続されている場合（Ｓ８６：ＹＥＳ）、ＣＰＵ３１は、処理をＳ８８へ移行する。Ｍ番目の計測機器５０が入出力Ｉ／Ｆ３４に接続されていない場合（Ｓ８６：ＮＯ）、ＣＰＵ３１は、探索時間カウンタの値を参照し、探索時間が経過しているかを判断する（Ｓ９１）。探索時間が未だ経過していない場合（Ｓ９１：ＮＯ）、ＣＰＵ３１は、処理をＳ８５へ戻し、Ｓ８５及びＳ８６の処理を繰り返す。
【００６４】
ＣＰＵ３１は、Ｍ番目の計測機器５０から出力されている機器情報に基づく機器画像である出力用画像を生成する（Ｓ８８）。この処理において、ＣＰＵ３１は、機器情報テーブル６０を参照し、機器情報テーブル６０におけるＭ番目の計測機器５０に対応する拡大位置座標及び拡大領域を取得する。ＣＰＵ３１は、機器画像のうち拡大位置座標を基準とした拡大領域を示す出力用画像の出力用画像データを生成する。
【００６５】
ＣＰＵ３１は、生成した出力用画像データに基づく出力用画像を表示する指示を、接続コントローラ３５を介して画像表示部２２へ送信する（Ｓ８９）。画像表示部２２は、Ｓ８９の指示に応じて、出力用画像を表示する。なお、表示モードが分割モードの場合には、ＣＰＵ３１は、機器情報テーブル６０のＭ番目の計測機器５０に対応する分割表示サイズに応じたサイズで出力用画像を出力する旨の指示を、画像表示部２２へ送信するこの場合、画像表示部２２は、分割表示サイズに応じたサイズで出力用画像を表示する。ＣＰＵ３１は、処理を機器情報表示処理（図７参照）へ戻す。
【００６６】
一方、探索時間が経過した場合（Ｓ９１：ＹＥＳ）、ＣＰＵ３１は、Ｍ番目の計測機器５０が入出力Ｉ／Ｆ３４に接続されなかった旨を、フラッシュメモリ３３の表示結果テーブル記憶エリア３３４に設けられている表示結果テーブル８０に登録する（Ｓ９２）。詳細は後述するが、表示結果テーブル８０は、機器画像が画像表示部２２に実際に表示された順番及び機器画像が画像表示部２２に実際に表示された時間を関連付けて記憶するためのテーブルである。
【００６７】
ＣＰＵ３１は、表示順カウンタの値が、表示順テーブル７０における順番の最後である「Ｌ」と等しいかを判断する（Ｓ９３）。表示順カウンタの値が、「Ｌ」と等しくない場合（Ｓ９３：ＮＯ）、ＣＰＵ３１は、表示順カウンタに「１」を加算し（Ｓ９４）、処理をＳ８２へ戻す。このようにして、ＣＰＵ３１は、Ｍ番目の計測機器５０が入出力Ｉ／Ｆ３４に接続されていることが確認されなかった場合に、機器情報テーブル６０において次以降に後続する順番に定義されている計測機器５０が入出力Ｉ／Ｆ３４に接続されているかを確認する。表示順カウンタの値が、「Ｌ」と等しい場合（Ｓ９３：ＹＥＳ）、ＣＰＵ３１は、表示順更新処理を実行し（Ｓ９６）、接続機器確認処理及び機器情報表示処理を終了する。表示順更新処理の詳細については後述する。
【００６８】
図７の説明に戻る。ＣＰＵ３１は、Ｓ１５の接続機器判断処理におけるＳ８９の処理で、画像表示部２２に対して表示指示の行われたＭ番目の計測機器５０の機器情報に基づく機器画像の、表示時間Ｔの計測を開始する（Ｓ１６）。またこのとき、ＣＰＵ３１は、表示順テーブル７０を参照し、Ｍ番目の計測機器５０に関連付けられている設定時間の計測も開始する。
【００６９】
ＣＰＵ３１は、第一事象が発生しているかを判断する（Ｓ２１）。この判断において、ＣＰＵ３１は、ＲＡＭ３２を参照し、第一フラグが「ＯＮ」となっていれば第一事象が発生していると判断し、第一フラグが「ＯＦＦ」となっていれば第一事象が発生していないと判断する。第一事象が発生している場合（Ｓ２１：ＹＥＳ）、ＣＰＵ３１は、表示時間Ｔの計測を終了する（Ｓ２２）。ＣＰＵ３１は、設定時間の計測も終了する。
【００７０】
ＣＰＵ３１は、「使用パターン」、表示順カウンタの値を示す「Ｍ」、「計測機器」、表示時間カウンタの値を示す「Ｔ」の項目を備える表示結果テーブル８０（図１５参照）を、フラッシュメモリ３３の表示結果テーブル記憶エリア３３４に生成する。そして、ＣＰＵ３１は、Ｓ２２を初めて実行する際に、表示結果テーブル８０の「使用パターン」の項目に、Ｓ１１の処理で取得した使用パターンを登録する。ＣＰＵ３１は、表示結果テーブル８０の「Ｍ」の項目に表示順カウンタの値、「計測機器」の項目に表示順テーブル７０における表示順カウンタの値に対応する計測機器５０、「Ｔ」の項目に表示時間カウンタの値を、それぞれ登録する（Ｓ２３）。なお、図１５において表示結果テーブル８０に設けられている「Ｐ」の項目については後述する。
【００７１】
ＣＰＵ３１は、表示時間カウンタの値を「０」にクリアする（Ｓ２４）。ＣＰＵ３１は、表示順カウンタに「１」を加算して（Ｓ２５）、処理をＳ１５へ戻す。ＣＰＵ３１は、Ｓ１５における接続機器確認処理を実行する。これにより、画像表示部２２に表示される機器画像が、前回の接続機器確認処理のＳ８９の処理で出力された表示指示に応じて表示されている出力用画像から、表示順テーブル７０において次以降に後続する順番に対応する出力用画像に切り替わる。ＣＰＵ３１は、表示時間Ｔの計測を開始し（Ｓ１６）、再びＳ２１の判断を実行する。
【００７２】
第一フラグが「ＯＮ」となっておらず第一事象が発生していない場合（Ｓ２１：ＮＯ）、ＣＰＵ３１は、第二事象が発生しているかを判断する（Ｓ３１）。この判断において、ＣＰＵ３１は、ＲＡＭ３２を参照し、第二フラグが「ＯＮ」となっていれば第二事象が発生していると判断し、第二フラグが「ＯＦＦ」となっていれば第二事象が発生していないと判断する。第二事象が発生している場合（Ｓ３１：ＹＥＳ）、ＣＰＵ３１は、アラーム発生時処理を実行する（Ｓ３２）。その後、ＣＰＵ３１は、処理をＳ２１の判断へ戻す。
【００７３】
図１０を参照して、アラーム発生時処理（Ｓ３２、図７参照）について説明する。アラーム発生時処理は、第二事象が発生している場合に、画像表示部２２に表示中の機器画像に替えて、アラーム画像を含む機器画像を画像表示部２２に表示させるための処理である。図１０に示すように、アラーム発生時処理が開始されると、ＣＰＵ３１は、計測中である表示時間Ｔの計測を中断する（Ｓ１０１）。ＣＰＵ３１は、表示時間Ｔの計測を中断した時点の表示時間カウンタの値を、別途にＲＡＭ３２に記憶する。なお、このとき、ＣＰＵ３１は、設定時間カウンタによる設定時間の計測も中断する。ＣＰＵ３１は、表示時間カウンタの値を「０」にクリアする（Ｓ１０２）。ＣＰＵ３１は、表示中の機器画像が動画であるかを判断する（Ｓ１０３）。この判断において、ＣＰＵ３１は、表示順テーブル７０と表示順カウンタの値とを参照し、表示順テーブル７０における表示順カウンタの値に対応する計測機器５０がいずれの計測機器５０であるかを判定する。ＣＰＵ３１は、機器情報テーブル６０を参照して、判定した計測機器５０の機器情報に基づく機器画像が動画であるか静止画であるかを判定する。
【００７４】
表示中の機器画像が動画でない場合（Ｓ１０３：ＮＯ）、ＣＰＵ３１は、表示順カウンタに「０．５」を加算する（Ｓ１０４）。ＣＰＵ３１は、アラーム画像を含む機器画像を表示する指示を、接続コントローラ３５を介して画像表示部２２へ送信する（Ｓ１０５）。画像表示部２２は、Ｓ１０５の指示に応じて、アラーム画像を含む機器画像を表示する。この処理において、ＣＰＵ３１は、アラーム画像を含む機器画像に対応する計測機器５０を、ＲＡＭ３２に記憶されている対応リストに付された識別子に基づいて判定する。ＣＰＵ３１は、アラーム画像を含む機器画像の表示指示に際し、判定したアラーム画像を含む機器画像に対応する計測機器５０に関連付けられているアラーム抽出位置座標を、機器情報テーブル６０を参照することで特定する。ＣＰＵ３１は、特定したアラーム抽出位置座標に基づいて、アラーム画像部分が機器画像から抽出された出力用画像の表示指示を行う。画像表示部２２は、Ｓ１０５の指示に応じて、アラーム画像部分が機器画像から抽出された出力用画像を表示する。即ち、Ｓ１０５の処理で画像表示部２２に表示される、アラーム画像を含む機器画像が、本発明の「特定画像」に相当する。ＣＰＵ３１は、アラーム画像を含む機器画像の表示時間Ｔの計測を開始する（Ｓ１０６）。
【００７５】
ＣＰＵ３１は、アラーム解除画像７７（図１１参照）を表示する指示を、接続コントローラ３５を介して画像表示部２２へ送信する（Ｓ１０８）。画像表示部２２は、Ｓ１０８の指示に応じて、アラーム解除画像７７を表示する。アラーム解除画像７７は、アラーム画像を含む機器画像の画像表示部２２における表示を解除して、アラーム画像を含む機器画像が表示される直前に表示されていた機器画像を画像表示部２２に表示させるための操作部３７に対する操作を示す画像である。アラーム解除画像７７を示すデータは、予めフラッシュメモリ３３等に記憶されているものとする。
【００７６】
図１１を参照して、Ｓ１０８の処理が実行されたときの、画像表示部２２の表示内容の一例を説明する。画像表示部２２の表示内容には、アラーム機器画像７６とアラーム解除画像７７が含まれている。アラーム機器画像７６は、図５に示す心電図画像７１にアラーム画像が含まれたことに応じて、アラーム抽出位置座標（Ｘ１１，Ｙ１１）に対応する点７５を中心とした所定の大きさで心電図画像７１から抽出された画像である。アラーム機器画像７６は、アラーム画像を含む機器画像であり、本発明の「特定画像」の一例である。表示中の機器画像に替えて、Ｓ１０４の処理によってアラーム機器画像７６が画像表示部２２に表示されるので、ユーザは、アラーム画像を見逃しにくい。また、アラーム機器画像７６に切り替えられる前の機器画像を再び視認するための操作がアラーム解除画像７７によって示されるので、ユーザは、アラーム解除画像７７に従って適切に操作部３７を操作できる。
【００７７】
図１０の説明に戻る。ＣＰＵ３１は、アラーム画像を含む機器画像を解除して、アラーム画像を含む機器画像の直前に画像表示部２２に表示されていた機器画像を視認するための所定の入力が操作部３７を介してされたかを判断する（Ｓ１０９）。この操作部３７を介した所定の入力を、以下、アラーム解除指示という。アラーム解除指示がない場合（Ｓ１０９：ＮＯ）、ＣＰＵ３１は、アラーム解除指示があるまでＳ１０６の判断を繰り返す。アラーム解除指示があった場合（Ｓ１０９：ＹＥＳ）、ＣＰＵ３１は、アラーム画像を含む機器画像の表示時間Ｔの計測を終了する（Ｓ１１１）。
【００７８】
ＣＰＵ３１は、表示順カウンタの値と、アラーム画像を含む機器画像に対応する計測機器５０と、表示時間カウンタの値とを関連付けて、表示結果テーブル８０に登録する（Ｓ１１２）。その後、ＣＰＵ３１は、表示時間カウンタの値を「０」にクリアする。ＣＰＵ３１は、表示順カウンタから「０．５」を減算する（Ｓ１１３）。ＣＰＵ３１は、Ｍ番目の計測機器５０の機器画像を表示する指示を、接続コントローラ３５を介して画像表示部２２へ送信する（Ｓ１１４）。画像表示部２２は、Ｓ１１４の指示に応じて、アラーム画像を含む機器画像に替えて、Ｍ番目の計測機器５０の機器画像の表示を再開する。ＣＰＵ３１は、表示時間カウンタに、Ｓ１０１の処理でＲＡＭ３２に記憶した値をセットし、表示を再開したＭ番目の計測機器５０の表示時間Ｔの計測を再開する（Ｓ１１５）。このとき、ＣＰＵ３１は、Ｓ１０１の処理に際して中断していた設定時間カウンタによる設定時間の計測も再開する。ＣＰＵ３１は、処理をＳ１１６へ移行する。
【００７９】
一方、表示中の機器画像が動画の場合（Ｓ１０３：ＹＥＳ）、ＣＰＵ３１は、アラーム報知画像７９（図１２参照）を表示する指示を、接続コントローラ３５を介して画像表示部２２へ送信する（Ｓ１１８）。画像表示部２２は、Ｓ１１８の指示に応じて、アラーム報知画像７９を表示する。ＣＰＵ３１は、処理をＳ１１６へ移行する。なお、この場合、Ｓ１０４からＳ１１５の処理は行われず、Ｓ１０３の時点において表示されている機器画像が、画像表示部２２に継続して表示される。
【００８０】
図１２を参照して、Ｓ１１８の処理が実行されたときの、画像表示部２２の表示内容の一例を説明する。画像表示部２２の表示内容には、動画による機器画像である機器動画像７８と、アラーム報知画像７９とが含まれている。図１２に示すように、アラーム報知画像７９は、例えば、「計測機器５の機器画像にアラーム発生中です」等のメッセージを表示する。表示中の機器画像が動画の場合、ユーザは、アラーム画像を含む機器画像よりも、現在視認している機器画像を継続して視認したいことがある。このような場合に、ＨＭＤ１０は、画像表示部２２に機器画像を継続して表示させつつ、アラーム報知画像７９を合わせて画像表示部２２に表示する。これにより、ＨＭＤ１０は、表示中の動画による機器画像を継続してユーザに視認させつつ、アラーム画像を含む機器画像を出力している計測機器５０がＣＢ３０に接続されていること、即ち、第二事象が発生していることを、ユーザに把握させることができる。なお、本実施形態では、アラーム報知画像７９は、画像表示部２２に所定期間表示された後、自動的に画像表示部２２から消去される。その後、ＣＰＵ３１は、第二フラグを「ＯＦＦ」として（Ｓ１１６）、処理を機器情報表示処理（図７参照）へ戻す。
【００８１】
図７の説明に戻る。一方、第二事象が発生してない場合（Ｓ３１：ＮＯ）、ＣＰＵ３１は、第三事象が発生しているかを判断する（Ｓ４１）。この判断において、ＣＰＵ３１は、ＲＡＭ３２を参照し、第三フラグが「ＯＮ」となっていれば第三事象が発生していると判断し、第三フラグが「ＯＦＦ」となっていれば第三事象が発生していないと判断する。第三事象が発生している場合（Ｓ４１：ＹＥＳ）、ＣＰＵ３１は、表示時間Ｔの計測を終了する（Ｓ４２）。ＣＰＵ３１は、設定時間の計測も終了する。
【００８２】
ＣＰＵ３１は、表示順カウンタの値、表示順テーブル７０における表示順カウンタの値に対応する計測機器５０、表示時間カウンタの値を、それぞれ表示結果テーブル８０に登録する（Ｓ４３）。ＣＰＵ３１は、表示時間カウンタの値を「０」にクリアする（Ｓ５４）。ＣＰＵ３１は、第三事象における第二入力によって選択された計測機器５０から出力されている機器情報に基づく機器画像である出力用画像を生成する（Ｓ４５）。この処理において、ＣＰＵ３１は、対応リストを参照し、選択された計測機器５０から出力されている機器情報に基づいて、機器情報に対応する計測機器５０がいずれであるかを判定する。ＣＰＵ３１は、機器情報テーブル６０を参照し、判定した計測機器５０に対応する拡大位置座標及び拡大領域を取得する。ＣＰＵ３１は、機器画像のうち拡大位置座標を基準とした拡大領域を示す出力用画像の出力用画像データを生成する。
【００８３】
ＣＰＵ３１は、生成した出力用画像データに基づく出力用画像を表示する指示を、接続コントローラ３５を介して画像表示部２２へ送信する（Ｓ４６）。画像表示部２２は、Ｓ４６の指示に応じて、出力用画像を表示する。ＣＰＵ３１は、表示時間Ｔの計測を開始し（Ｓ４７）、処理をＳ２１の判断へ戻す。
【００８４】
一方、第三事象が発生していない場合（Ｓ４１：ＮＯ）、ＣＰＵ３１は、ＨＤ位置判断処理を実行し（Ｓ５１）、処理をＳ２１の判断へ戻す。ＣＰＵ３１は、このようにしてＳ２１、Ｓ３１、Ｓ４１及びＳ５１の判断を繰り返して実行することで、第一事象の発生、第二事象の発生、第三事象の発生、及びＨＤ２０の配置の状況を、機器情報表示処理において常に監視している。特に、ＣＰＵ３１は、Ｓ１５の接続機器確認処理において機器情報が取得される毎に、取得した機器情報にアラーム画像が含まれているかを判定するので、ユーザがアラーム画像に関する画像を見逃す可能性を低減できる。
【００８５】
図１３を参照して、ＨＤ位置判断処理（Ｓ５１、図７参照）について説明する。ＨＤ位置判断処理では、ＨＭＤ１０におけるＨＤ２０の配置が特定位置であるか否かに応じた処理が行われる。図１３に示すように、ＨＤ位置判定処理が開始されると、ＣＰＵ３１は、ＨＤ２０が特定位置に配置されているかを判断する（Ｓ１２１）。ＣＰＵ３１は、ＨＤ２０の検出部２３による検出結果に応じて、ＨＤ２０が特定位置に配置されているかを判断する。
【００８６】
ＨＤ２０が特定位置に配置されている場合（Ｓ１２１：ＹＥＳ）、ＣＰＵ３１は、機器画像の表示を抑制する指示である表示抑制指示を、接続コントローラ３５を介して画像表示部２２へ送信する（Ｓ１２２）。表示抑制指示を受信した画像表示部２２は、その光源をＯＦＦにすることで、機器画像の表示を抑制する。ＣＰＵ３１は、処理を機器情報表示処理（図７参照）へ戻す。このようにして、ＨＭＤ１０は、ＨＤ２０が特定位置に配置されている場合、ユーザがＨＤ２０の画像表示部２２の視認を必要としていないとみなして、画像表示部２２の光源をＯＦＦにすることで省電力化を図っている。ＨＭＤ１０は、ユーザに装着されて使用される性質上、外部からの電源供給を受けず、バッテリー等、内部に搭載した内部電源によって動作を行うことがある。ＨＭＤ１０は、ＨＤ２０の位置に応じて消費電力を低減できるので、内部電源の寿命を延ばすことができる。
【００８７】
ＨＤ２０が特定位置に配置されていない場合（Ｓ１２１：ＮＯ）、ＣＰＵ３１は、機器画像の表示を通常に行う指示である通常表示指示を、接続コントローラ３５を介して画像表示部２２へ送信する（Ｓ１２３）。通常表示指示を受信した画像表示部２２は、その光源を、ユーザが機器画像を視認するのに適した光度で動作させることで、機器画像をユーザに視認可能に表示する。ＣＰＵ３１は、処理を機器情報表示処理（図７参照）へ戻す。
【００８８】
次いで、図１４から図１６を参照して、表示順更新処理（Ｓ９６、図９参照）について説明する。表示順更新処理は、機器画像が実際に表示された順番等に応じた表示結果テーブル８０の登録内容に基づいて、表示順テーブル７０を更新するための処理である。図１４に示すように、表示順更新処理が開始されると、ＣＰＵ３１は、フラッシュメモリ３３の表示結果テーブル記憶エリア３３４に記憶されている表示結果テーブル８０を参照する（Ｓ１３１）。ＣＰＵ３１は、Ｓ２３、Ｓ４３（図７参照）、Ｓ９２（図９参照）、Ｓ１１２（図１０参照）の各処理において、使用パターン、表示順カウンタの値、計測機器５０がいずれであるか、表示時間カウンタの値のそれぞれを、表示結果テーブル８０に登録する。この結果、図１５に示すような表示結果テーブル８０が構成される。
【００８９】
図１５に示す表示結果テーブル８０において、Ｍの値が小さい順に、計測機器５０が計測機器１〜Ｎのいずれであるか及び表示時間Ｔが登録されている。Ｍの値の最大値を「Ｍ＝Ｌ」とする。Ｍの項目が整数でなく小数となっているものは、第二事象の発生に応じて、Ｓ１１２の処理によってアラーム画像を含む機器画像についての計測機器５０及び表示時間Ｔが登録された場合に対応する。Ｍの項目に「−」が登録されているのは、第三事象の発生に応じて、表示順テーブル７０に定義された順番に関わらず、Ｓ４６の処理によって表示が開始された機器画像についての計測機器５０及び表示時間Ｔが登録された場合に対応する。Ｔの項目が「−（接続なし）」となっているのは、第一事象の発生に応じて、Ｓ９２の処理によってＭ番目の計測機器５０が入出力Ｉ／Ｆ３４に接続されなかった旨が登録された場合に対応する。なお、Ｓ１３１の実行時点では、図１５における「Ｐ」の項目には、何も登録されていないとする。
【００９０】
ＣＰＵ３１は、表示結果テーブル８０に対して、Ｍの値が小さい順に番号「Ｐ」を付す（Ｓ１３２）。Ｐの値の最大値をＰｍａｘとする。このとき、図１５に示すような表示結果テーブル８０が構成される。ＣＰＵ３１は、表示結果テーブル８０における「Ｐ」の値を特定するための表示結果カウンタの値に「１」をセットする（Ｓ１３３）。表示結果カウンタは、ＲＡＭ３２に記憶される。以下、表示結果カウンタの値を「Ｐ」と表記する場合がある。
【００９１】
ＣＰＵ３１は、表示結果テーブル８０において、Ｐに対応するＭの値が整数であるかを判断する（Ｓ１３４）。Ｍの値が整数でない場合（Ｓ１３４：ＮＯ）、ＣＰＵ３１は、表示結果テーブル８０から、Ｐに対応する「Ｍ」「計測機器」「Ｔ」を含むデータ列を削除する（Ｓ１３７）。この処理で削除の対象となる「Ｍ」「計測機器」「Ｔ」を含むデータ列は、医療現場における患者の容体等に応じて第二事象が発生したことに起因して表示結果テーブル８０に登録されたものである。同じ使用パターンの他の場面でユーザがＨＭＤ１０を使用した場合に、必ずしも同様の第二事象が、同様のタイミングで発生するとは限らない。このため、ＣＰＵ３１は、第二事象の発生に起因して表示結果テーブル８０に登録されたデータ列を削除する。ＣＰＵ３１は、処理をＳ１３８の判断へ移行する。
【００９２】
Ｍの値が整数である場合（Ｓ１３４：ＹＥＳ）、ＣＰＵ３１は、表示結果テーブル８０において、Ｐに対応する「Ｔ」の項目の値が１０秒以下の値を示すかを判断する（Ｓ１３５）。「Ｔ」の項目の値が１０秒以下の値を示す場合（Ｓ１３５：ＹＥＳ）、ＣＰＵ３１は、表示結果テーブル８０から、Ｐに対応する「Ｍ」「計測機器」「Ｔ」を含むデータ列を削除する（Ｓ１３７）。この処理で削除の対象となるデータ列は、第一事象の発生又は第三事象の発生に起因して、比較的短い表示時間Ｔが表示結果テーブル８０に登録されたものである。表示時間Ｔが比較的短いことから、同じ使用パターンの他の場面でユーザがＨＭＤ１０を使用した場合に、必ずしも今回に表示結果テーブル８０に登録されたようにユーザが機器画像の視認を必要とするとは限らない。このため、ＣＰＵ３１は、第一事象の発生又は第三事象の発生に起因して、比較的短い表示時間Ｔを示して表示結果テーブル８０に登録されたデータ列を削除する。ＣＰＵ３１は、処理をＳ１３８の判断へ移行する。
【００９３】
「Ｔ」の項目の値が１０秒よりも大きな値を示す場合（Ｓ１３５：ＮＯ）、ＣＰＵ３１は、表示結果テーブル８０において、Ｐに対応する「Ｍ」の項目の値が、「−（接続なし）」であるかを判断する（Ｓ１３６）。「Ｍ」の項目の値が、「−（接続なし）」である場合（Ｓ１３６：ＹＥＳ）、ＣＰＵ３１は、表示結果テーブル８０から、Ｐに対応する「Ｍ」「計測機器」「Ｔ」を含むデータ列を削除する（Ｓ１３７）。この処理で削除の対象となるデータ列は、第一事象の発生に応じて、Ｓ９２の処理によってＭ番目の計測機器５０が入出力Ｉ／Ｆ３４に接続されなかったことに起因して、表示結果テーブル８０に登録されたものである。この場合、ユーザは、Ｍ番目の計測機器５０の機器画像の視認を必要ないと判断して、Ｍ番目の計測機器５０を入出力Ｉ／Ｆ３４に接続しなかったことが考えられる。よって、同じ使用パターンの他の場面でユーザがＨＭＤ１０を使用した場合にも、Ｍ番目の計測機器５０を入出力Ｉ／Ｆ３４に接続しない可能性が高い。このため、ＣＰＵ３１は、第一事象の発生に応じて、Ｓ９２の処理によってＭ番目の計測機器５０が入出力Ｉ／Ｆ３４に接続されなかったことに起因して表示結果テーブル８０に登録されたデータ列を削除する。ＣＰＵ３１は、処理をＳ１３８の判断へ移行する。
【００９４】
ＣＰＵ３１は、表示結果カウンタの値がＰｍａｘであるかを判断する（Ｓ１３８）。表示結果カウンタの値がＰｍａｘでない場合（Ｓ１３８：ＮＯ）、ＣＰＵ３１は、表示結果カウンタに「１」を加算し、処理をＳ１３４の判断へ戻す。ＣＰＵ３１は、表示結果カウンタの値がＰｍａｘに至るまで、Ｓ１３４からＳ１３８の処理を繰り返す。
【００９５】
表示結果カウンタの値がＰｍａｘの場合（Ｓ１３８：ＹＥＳ）、ＣＰＵ３１は、表示結果テーブル８０の各データ列を、「Ｐ」の項目の値が小さい順にソートする（Ｓ１４１）。この処理において、Ｓ１３７の処理によってデータ列が削除されている場合には、表示結果テーブル８０の「Ｐ」の項目に格納されている値が連続した値でないことがある。この場合、ＣＰＵ３１は、従前の「Ｐ」の項目の値が小さい順に、「Ｐ」の値を再度付し直す。
【００９６】
ＣＰＵ３１は、使用パターンに応じた表示順テーブル７０を参照する（Ｓ１４２）。ＣＰＵ３１は、表示結果テーブル８０と表示順テーブル７０とを比較して、同一の計測機器５０に対応する表示結果テーブル８０の「Ｔ」の値と、表示順テーブル７０の「設定時間」の値との平均値を、それぞれ算出する（Ｓ１４３）。ＣＰＵ３１は、算出した平均値を表示結果テーブル８０の「Ｔ」の値に上書きして登録する。このときの表示結果テーブル８０は、図１６に示すような内容になる。
【００９７】
ＣＰＵ３１は、表示結果テーブル８０におけるＰを表示順テーブル７０の「順番」の項目に対応させて、表示順テーブル７０のデータ構成を、Ｓ１４３で得られた表示結果テーブル８０に登録されている構成に更新する（Ｓ１４４）。このようにして、ＨＭＤ１０が使用された使用結果に応じて、表示順テーブル７０における機器画像の表示順及び表示時間が更新される。このようにして、機器画像が画像表示部２２に表示された実際の順番等が、表示順テーブル７０に反映される。従って、ＨＭＤ１０は、次回以降に同じ使用パターンでＨＭＤ１０が使用される場合に、ユーザにより適した表示順で機器画像を表示することができる。
【００９８】
ＣＰＵ３１は、第一事象、第二事象及び第三事象のいずれかの発生に応じて、機器画像を表示する指示を画像表示部２２へ送信する（Ｓ４６、Ｓ８９、Ｓ１０５）。画像表示部２２は、Ｓ４６、Ｓ８９、Ｓ１０５の各指示に応じて、機器画像を表示する。また、ＣＰＵ３１は、第一事象の発生に応じて機器画像を切り替える場合（Ｓ２１：ＹＥＳ）、表示順テーブル７０に定義されている機器画像の表示順に応じて、画像表示部２２に表示されている機器画像の順番に後続する順番の機器画像を表示する指示を画像表示部２２へ送信する（Ｓ８９）。このようにして、ＨＭＤ１０において、表示順テーブル７０に定義されている機器画像の表示順に応じて、画像表示部２２に表示される機器画像が切り替わる。このため、ユーザが機器画像を切り替えるために操作部３７を介して機器画像を切り替えるための入力を行う頻度が低減する。また、ユーザの頭部に装着されるＨＤ２０のように、表示領域の比較的小さな画像表示部２２であっても、ＨＭＤ１０は、複数の計測機器５０のそれぞれから取得される機器画像を、ユーザに視認させやすくできる。従って、ＨＭＤ１０は、機器画像を視認するためにユーザに必要な操作部３７の操作頻度を低減しつつ、複数の計測機器５０のそれぞれの機器画像を、ユーザの視認しやすい態様で、画像表示部２２に表示できる。
【００９９】
計測機器５０は、様々な計測機器１〜Ｎを含むので、機器画像の態様も、計測機器５０に応じて様々である。計測機器５０から取得された機器情報のそのものに対応する機器画像が画像表示部２２に表示されるよりも、画像表示部２２の表示領域等に応じた出力態様で生成された出力用画像が表示される方が、ユーザの機器画像の視認性が向上することもある。ＣＰＵ３１は、機器情報テーブル６０を参照し、機器情報を出力している計測機器５０に対応する拡大位置座標及び拡大領域を取得する。ＣＰＵ３１は、取得した拡大位置座標及び拡大領域に基づいて、機器画像のうち拡大位置座標を基準とした拡大領域を示す出力用画像の出力用画像データを生成する（Ｓ８９）。ＣＰＵ３１は、生成した出力用画像データに基づく出力用画像を表示する指示を、画像表示部２２へ送信する（Ｓ８９）。このため、ＨＭＤ１０は、複数の計測機器５０の機器画像を、ユーザの視認しやすい態様で画像表示部２２に表示できる。
【０１００】
機器情報テーブル６０は、アラーム画像を機器画像から抽出するための基準位置を示すアラーム抽出位置座標、及び機器画像にアラーム画像が含まれるとＣＰＵ３１によって判断される基準値であるアラーム閾値を、計測機器５０毎に関連付けて記憶している。ＣＰＵ３１は、入力端子Ｘに接続されたと判定された計測機器５０に関連付けられているアラーム閾値を参照し、機器情報に基づく機器画像にアラーム画像が含まれているかを判断する（Ｓ６９）。ＣＰＵ３１は、機器画像にアラーム画像が含まれている場合、アラーム画像を含む機器画像を表示する指示を、接続コントローラ３５を介して画像表示部２２へ送信する（Ｓ１０５）。画像表示部２２は、Ｓ１０５の指示に応じて、アラーム画像を含む機器画像を表示する。従って、ＨＭＤ１０は、ユーザがアラーム画像を含む機器画像を見逃す可能性を低減できる。
【０１０１】
ＣＰＵ３１は、Ｓ２１、Ｓ３１、Ｓ４１及びＳ５１の判断を繰り返して実行することで、第一事象の発生、第二事象の発生、第三事象の発生、及びＨＤ２０の配置の状況を、機器情報表示処理において常に監視している。特に、ＣＰＵ３１は、Ｓ１５の接続機器確認処理において機器情報が取得される毎に（Ｓ６３）、第二事象が発生しているかを判定するので（Ｓ６９）、ユーザがアラーム画像に関する画像を見逃す可能性を低減できる。
【０１０２】
ＨＭＤ１０の使用パターンに応じて、ユーザが必要とする機器画像の種類及び機器画像を視認したい順番、及びそれぞれの機器画像を視認したい時間の長さが異なることがある。表示順テーブル７０には、複数の使用パターンに応じた機器画像の表示順が複数定義されている。ＣＰＵ３１は、操作部３７を介してＨＭＤ１０の使用パターンを取得し（Ｓ１１）、使用パターンに応じた表示順テーブル７０を参照することで（Ｓ８１）、使用パターンに応じた表示順に基づく機器画像を表示する指示を、画像表示部２２へ送信する（Ｓ８９）。従って、ＨＭＤ１０は、ユーザがＨＭＤ１０を使用する使用シーン及び使用シーン毎のユーザの役割等に応じた表示順に基づいて、機器画像を表示できる。
【０１０３】
ＣＰＵ３１は、Ｓ２３、Ｓ４３（図７参照）、Ｓ９２（図９参照）、Ｓ１１２（図１０参照）の各処理において、使用パターン、表示順カウンタの値、計測機器５０がいずれであるか、表示時間Ｔのそれぞれを、表示結果テーブル８０に登録する。ＣＰＵ３１は、表示結果テーブル８０に登録された内容に応じて、表示順テーブル７０を更新する（Ｓ１４４）。このため、ＨＭＤ１０は、機器画像が画像表示部２２に表示された実際の順番等が反映された表示順テーブル７０に応じた順で、機器画像を表示できる。
【０１０４】
ユーザが画像表示部２２に表示される画像の視認を必要としない場合、ＨＤ２０が特定位置に配置されることがある。ＨＤ２０には、ＨＭＤ１０におけるＨＤ２０の位置を検出可能な検出部２３が設けられている。ＣＰＵ３１は、検出部２３の検出結果に応じて、ＨＤ２０が、特定位置に配置されているかを判断できる。ＨＤ２０が特定位置に配置されている場合（Ｓ１２１：ＹＥＳ）、ＣＰＵ３１は、表示抑制指示を画像表示部２２に送信する（Ｓ１２２）。表示抑制指示を受信した画像表示部２２は、その光源をＯＦＦにすることで、機器画像の表示を抑制する。このように、ＨＭＤ１０は、ＨＤ２０の位置が特定位置であることに応じて、画像表示部２２における機器画像の表示を抑制することで、消費電力を低減できる。
【０１０５】
表示中の機器画像が動画の場合、ユーザはアラーム画像を含む機器画像よりも、現在視認している機器画像を継続して視認したいことがある。ＣＰＵ３１は、表示中の機器画像が動画であるかを判断する（Ｓ１０３）。表示中の機器画像が動画の場合（Ｓ１０３：ＹＥＳ）、ＣＰＵ３１は、表示中の機器画像を継続して表示させつつ、アラーム報知画像７９を表示する指示を画像表示部２２へ送信する（Ｓ１１８）。これにより、ＨＭＤ１０は、ユーザに現在表示中の機器画像を継続して視認させつつ、アラーム報知画像７９によって第二事象が発生していることをユーザに把握させることができる。
【０１０６】
上記実施形態において、ＨＭＤ１０が、本発明の「情報表示装置」に相当する。入出力Ｉ／Ｆ３４及びＳ６３の処理を実行するＣＰＵ３１が、本発明の「機器情報取得手段」に相当する。機器情報テーブル６０が、本発明の「機器テーブル」に相当する。フラッシュメモリ３３の機器情報テーブル記憶エリア３３２が、本発明の「テーブル記憶部」に相当する。Ｓ６６の処理を実行するＣＰＵ３１が、本発明の「判定手段」として機能する。ＣＢ２０の画像表示部２２が、本発明の「表示部」に相当する。Ｓ４６、Ｓ８９、Ｓ１０５、Ｓ１１４の処理を実行するＣＰＵ３１が、本発明の「表示制御手段」として機能する。表示順テーブル７０を記憶するフラッシュメモリ３３の表示順テーブル記憶エリア３３３が、本発明の「表示順記憶部」に相当する。Ｓ２１、Ｓ３１及びＳ４１の処理を実行するＣＰＵ３１が、本発明の「第一指示取得手段」として機能する。
【０１０７】
Ｓ４５及びＳ８８の処理を実行するＣＰＵ３１が、本発明の「画像生成手段」として機能する。Ｓ１１の処理を実行するＣＰＵ３１が、本発明の「第二指示取得手段」として機能する。表示結果テーブル８０が、本発明の「表示結果情報」に相当する。フラッシュメモリ３３の表示結果テーブル記憶エリア３３４が、本発明の「表示結果記憶部」に相当する。Ｓ１４４の処理を実行するＣＰＵ３１が、本発明の「更新手段」として機能する。ＣＢ２０の検出部２３が、本発明の「検出手段」に相当する。Ｓ１０３の処理を実行するＣＰＵ３１が、本発明の「画像判断手段」として機能する。
【０１０８】
なお、本発明は上記の実施形態に限定されるものではなく、種々の変更が可能である。例えば、入出力Ｉ／Ｆ３４は、各種の無線通信の標準規格に適合するインターフェース回路であってもよい。
【０１０９】
一つの計測機器５０に複数の計測機器５０が接続されており、一つの計測機器５０が入出力Ｉ／Ｆ３４に接続されて、一つの計測機器５０から複数の計測機器５０に対応する複数の機器情報が入出力Ｉ／Ｆ３４に入力される構成であってもよい。
【０１１０】
上記実施形態では、ＣＰＵ３１は、Ｓ１０３の処理において、機器情報テーブル６０を参照して、機器画像が動画であるか静止画であるかを判断しているが、これに限られない。例えば、ＣＰＵ３１は、画像表示部２２に表示されている機器画像が動画であるかを、機器情報テーブル６０によらず、画像表示部２２に表示されている機器画像の態様に基づいて判断してもよい。
【０１１１】
上記実施形態では、機器画像のうち拡大位置座標を基準とした拡大領域を示す出力用画像が生成され、生成された出力用画像が画像表示部２２に表示される（Ｓ４６、Ｓ８９）。Ｓ４６及びＳ８９の処理において表示される機器画像は、必ずしも出力用画像である必要はなく、機器画像の出力態様によっては、計測機器５０から取得された機器情報に基づく機器画像がそのまま画像表示部２２に表示されてもよい。
【０１１２】
上記実施形態では、Ｓ１０５の処理に応じて、アラーム抽出位置座標に基づいて、アラーム画像部分が機器画像から抽出された出力用画像が画像表示部２２に表示される。Ｓ１０５の指示に応じて画像表示部２２に表示される機器画像は、必ずしもアラーム画像部分がアラーム抽出位置座標に基づいて抽出されたものでなくてもよく、例えば、アラーム画像を含む機器画像の全体が画像表示部２２に表示されてもよい。
【０１１３】
上記実施形態では、接続機器判断処理は、機器情報表示処理に組み込まれた処理である。接続機器判断処理は、必ずしも機器情報表示処理に組み込まれている必要はなく、機器情報表示処理から独立した処理であってもよい。この場合、接続機器判断処理は、機器情報表示処理と並列してＣＰＵ３１によって実行されてもよい。この場合、接続機器判断処理が機器情報表示処理に並列して繰り返し実行されることで、接続機器判断処理が実行される毎に、Ｓ６３の処理によって計測機器５０から機器情報が取得される。また、機器情報が取得される毎に、Ｓ６９の処理によって、機器情報に基づく機器画像にアラーム画像が含まれているかが判断される。ＣＰＵ３１は、Ｓ６９の処理によって機器画像にアラーム画像が含まれていると判断した後に、次回以降にＳ６９の処理を実行したときに機器画像にアラーム画像が含まれなくなった場合に、アラーム解除指示を生成してもよい。このようにすることで、アラーム発生時処理（Ｓ３２）の実行が開始された後に機器画像にアラーム画像が含まれなくなった場合には、操作部３７を介した所定の入力によらず、Ｓ１０９の処理において自動的にアラーム解除指示があったと判断される。
【０１１４】
表示結果テーブル８０に登録された内容に応じた表示順テーブル７０の更新には、様々な態様が考えられる。上記実施形態では、Ｓ１３４、Ｓ１３５及びＳ１３６の判断結果に応じて、対応するデータ列が表示結果テーブル８０から削除されている（Ｓ１３７）。例えば、第二事象が発生したことに起因して表示結果テーブル８０に登録された内容も含めて表示順テーブル７０を更新することが好適な場合もある。表示結果テーブル８０において、比較的短い表示時間Ｔが登録されている場合にも、そのまま表示順テーブル７０に反映させて更新することが好適な場合もある。表示結果テーブル８０に「−（接続なし）」と登録された計測機器５０についても、表示順テーブル７０から削除しないことが好適な場合もある。このため、表示順更新処理において、Ｓ１３４、Ｓ１３５及びＳ１３６の判断は必ずしも行われる必要はなく、Ｓ１３４、Ｓ１３５及びＳ１３６の一部又は全部が行われなくてもよい。
【０１１５】
上記実施形態では、検出部２３はＨＤ２０の筐体２の内部に設けられているが、ＨＤ２０が特定位置に配置されているかを判断するための部材は、必ずしもＨＤ２０の筐体２の内部に設けられる必要はない。検出部２３に相当する部材は、ＨＤ２０の筐体２の外側部、装着具８等に設けられていてもよい。
【０１１６】
上記実施形態では、第一事象の発生契機となる第一入力を、ユーザが操作部３７の操作ボタンを短めに１回押す動作に基づく入力としたが、第一入力はこれに限られない。例えば、第一入力が、音響特徴量（例えば、音素）を抽出する周知の音声認識処理に基づく入力であってもよい。この場合、ＨＤ２０は、筐体２０の内部に、筐体２０の外部（例えばユーザの口）から入力するアナログの音をデジタルの音データに変換するマイクを備えてもよい。そして、マイクは音データをＣＢ３４に出力してもよい。ＣＰＵ３１は、音データが第一入力に対応するユーザの特定の音声に相当するか否かを、音声認識処理の実行結果に基づいて判断してもよい。また、第一入力は、検出部２３による所定の検出結果に基づく入力であってもよい。この場合、ユーザは、ＨＭＤ１０を装着した頭部を所定の方向に動かす（例えば、頷く動作を行う）こと等で、第一入力を発生させることができる。
【０１１７】
上記実施形態では、Ｓ１２２の処理によって画像表示部２２へ送信された表示抑制指示に応じて、画像表示部２２は、その光源をＯＦＦにすることで機器画像の表示を抑制する。機器画像表示の抑制態様はこれに限られず、例えば、画像表示部２２の光源の明るさが低減されることによって、機器画像の表示が抑制されてもよい。また、ＣＰＵ３１は、表示抑制指示に応じて、機器画像に関する映像信号をＣＢ２０に送信することを中断することによって、機器画像の表示を抑制してもよい。この場合、ＣＰＵ３１及び画像表示部２２における処理負荷が軽減されるので、ＨＭＤ１０は、消費電力を低減できる。
【０１１８】
機器情報表示処理は、複数の電子機器（つまり、複数のＣＰＵ）によって分散処理されてもよい。例えば、機器情報表示処理の一部が、インターネット、ＬＡＮ、その他の専用回線等を含むネットワークを介して、ＨＭＤ１０と無線通信可能なＰＣ等の外部装置において実行されてもよい。プログラムは、例えば、ＨＭＤ１０と無線通信可能なＰＣ等から所定のネットワークを介してダウンロードされて、ＣＢ３０のフラッシュメモリ３３等に記憶されてもよい。
【符号の説明】
【０１１９】
１０    ＨＭＤ
２０    ＨＤ
２２    画像表示部
２３    検出部
３０    ＣＢ
３１    ＣＰＵ
３３    フラッシュメモリ
３４    入出力Ｉ／Ｆ
６０    機器情報テーブル
８０    表示結果テーブル
３３２    機器情報テーブル記憶エリア
３３３    表示順テーブル記憶エリア
３３４    表示結果テーブル記憶エリア
【図１】
2017068360.tif 000003
【図２】
2017068360.tif 000004
【図３】
2017068360.tif 000005
【図４】
2017068360.tif 000006
【図５】
2017068360.tif 000007
【図６】
2017068360.tif 000008
【図７】
2017068360.tif 000009
【図８】
2017068360.tif 000010
【図９】
2017068360.tif 000011
【図１０】
2017068360.tif 000012
【図１１】
2017068360.tif 000013
【図１３】
2017068360.tif 000014
【図１４】
2017068360.tif 000015
【図１５】
2017068360.tif 000016
【図１６】
2017068360.tif 000017
【図１２】
2017068360.tif 000018